(57)【要約】【課題】配電盤等の電気機器に設けた端子台に接続されている端子を解線し、その後元の接続先に復旧する際の誤接続等による人為的ミスを防止する。【解決手段】電気機器の端子台の固定ネジから取外した解線端子を、端子台に設けた他の導電部材に誤接触しないように絶縁保護する一体型絶縁キャップであって、解線端子を収納する収納凹部を有する絶縁キャップ本体部、絶縁キャップ本体部に開閉自在に構成され、収納凹部に収納された解線端子を覆い挟持する絶縁キャップ蓋体部、絶縁キャップ本体部と一体に形成され伸縮性を有し、延出した先端部に前記固定ネジで仮止めされる仮止め部を有する紐状又は帯状の仮止め体、及びこの仮止め体と共に絶縁キャップ本体部と一体に形成され作業状況に応じて隣り合う解線端子を互いに連結し結束可能とした連結手を備え、仮止め体は、解線端子の識別を可能とする異色で着色されているものである。【選択図】図３
2018166025.tif 000002
【特許請求の範囲】
【請求項１】
電気機器の端子台の固定ネジから取外した解線端子を、当該端子台に設けた他の導電部材に誤接触しないように絶縁保護する一体型絶縁キャップであって、
前記解線端子を収納する収納凹部を有する絶縁キャップ本体部、この絶縁キャップ本体部に開閉自在に構成され、前記収納凹部に収納された前記解線端子を覆い挟持する絶縁解線キャップ蓋体部、前記絶縁キャップ本体部と一体に形成され伸縮性を有し、延出した先端部に前記固定ネジで仮止めされる仮止め部を有する紐状又は帯状の仮止め体、及びこの仮止め体と共に前記絶縁キャップ本体部と一体に形成され作業状況に応じて隣り合う前記解線端子を互いに連結し結束可能とした連結手を備え、前記仮止め体は、前記解線端子の識別を可能とする異色で着色されていることを特徴とする一体型絶縁キャップ。
【請求項２】
前記仮止め部は、前記固定ネジを挿通する長孔を有し、この長孔の短径は前記固定ネジの頭部より短く、前記長孔の長径は前記固定ネジの頭部より長く設定され、前記固定ネジの頭部に対し挿脱自在に構成したことを特徴とする請求項１に記載の一体型絶縁キャップ。
【発明の詳細な説明】
【技術分野】
【０００１】
この発明は、配電盤等の電気機器端子台から取外した端子が、他導電部に接触しないよう保護する一体型絶縁キャップに関するものである。
【背景技術】
【０００２】
配電盤等の電気機器に設けた端子台に接続されている端子を取外し解線する際に、解線した端子が他導電部と接触しないよう、解線した端子に絶縁キャップを取付け保護することは種々提案されている（特許文献１から５参照）。
【先行技術文献】
【特許文献】
【０００３】
【特許文献１】実開昭６３−１４３８６３号公報
【特許文献２】実開平４−５１７７５号公報
【特許文献３】特開２００７−３３５１６０号公報
【特許文献４】特開２０１４−１８６８６９号公報
【特許文献５】特開２０１５−６０７０６号公報
【発明の概要】
【発明が解決しようとする課題】
【０００４】
従来の端子絶縁保護具においても、配電盤等の電気機器に設けた端子台に接続されている端子を解線する際、解線した端子にキャップを取付けていたが、元の接続先に復旧する際は、その都度図面を確認しなければならず、また接続先を照合することが必要であるため時間を費やしていた。また、図面の見誤りによる誤接続等により電気機器の焼損や短絡・地絡事故による感電が起きる問題があった。
この発明は上記のような課題を解決するためになされたものであり、復旧にかかる時間を短縮できるとともに、誤接続による人為的ミスを防止することを目的とする。
【課題を解決するための手段】
【０００５】
この発明に係わる一体型絶縁キャップは、電気機器の端子台の固定ネジから取外した解線端子を、当該端子台に設けた他の導電部材に誤接触しないように絶縁保護する一体型絶縁キャップであって、前記解線端子を収納する収納凹部を有する絶縁キャップ本体部、この絶縁キャップ本体部に開閉自在に構成され、前記収納凹部に収納された前記解線端子を覆い挟持する絶縁解線キャップ蓋体部、前記絶縁キャップ本体部と一体に形成され伸縮性を有し、延出した先端部に前記固定ネジで仮止めされる仮止め部を有する紐状又は帯状の仮止め体、及びこの仮止め体と共に前記絶縁キャップ本体部と一体に形成され作業状況に応じて隣り合う前記解線端子を互いに連結し結束可能とした連結手を備え、前記仮止め体は、前記解線端子の識別を可能とする異色で着色されているものである。
【発明の効果】
【０００６】
この発明の一体型絶縁キャップによれば、いずれのタイプの端子にも使用でき、解線した端子を接触させることなく絶縁保護することができる。また一体型絶縁キャップは異なる色で着色され視覚的に識別されているので、ひと目で復旧すべき端子台が判り、復旧先の誤接続を防止でき作業性が向上する。また、連結手により、隣接する一体型絶縁キャップの端子を安全に結束・纏めることできるので、複数の解線がバラバラになることを防ぎ、この点においても作業性が向上する。また、隣接する一体型絶縁キャップを纏めても、確実に識別できるので誤接続することがないなどの効果がある。
【図面の簡単な説明】
【０００７】
【図１】この発明の実施の形態１における一体型絶縁キャップを簡略化して示した平面図である。
【図２】この発明の実施の形態１における一体型絶縁キャップの本体部を示す斜視図である。なお、図中の丸枠Ａ、Ｂは、仮止め部のみを示す部分図であり、丸枠Ｂ内の（i）は実施の形態１における仮止め部を示し、（ii）はその変形例を示すものである。
【図３】この発明の実施の形態１における一体型絶縁キャップの使用状態を示す斜視図である。
【発明を実施するための形態】
【０００８】
以下、図面に基づいて、この発明の実施の形態１を説明する。
なお、各図間において、同一符号は同一あるいは相当部分を示す。
【０００９】
実施の形態１．
図１は、実施の形態１における一体型絶縁キャップを示す簡略平面図、図２は、一体型絶縁キャップの本体部を示す斜視図、図３は、一体型絶縁キャップの使用状態を示す斜視図である。
【００１０】
図において、一体型絶縁キャップ１は、電気機器端子台１０の固定ネジ１１から導電部材６の端子６ｂを取外した時、図３に示すようにその解線端子６ａが電気機器端子台１０に設けた他の導電部材に誤接触しないように絶縁保護するもので、直方状の絶縁キャップ本体部２、絶縁キャップ蓋体部３、仮止め部４ａを有する仮止め体４などによって構成されている。
絶縁キャップ本体部２には、取外された解線端子６ａを収納する収納凹部２ａと導電部材６の導入溝２ｂを有し、収納凹部２ａは、端子(Y型・C型・O型等)の型・大きさを問わず
収納できるものである。
【００１１】
絶縁キャップ蓋体部３は、例えば蝶番機構３２によって絶縁キャップ本体部２に対し開閉自在に構成され、収納凹部２ａに収納された解線端子６ａを覆い挟持するものである。
又、絶縁キャップ蓋体部３の裏面３か所には、錨状フック３ａが設けられ、この錨状フック３ａと対向する絶縁キャップ本体部２の上面３か所には、錨状フック３ａを挿入係止する溝状窪み部３ｂが設けられている。従って、絶縁キャップ蓋体部３は、収納凹部２ａへ解線端子６ａを収納した後、絶縁キャップ蓋体部３を回動し錨状フック３ａを矢印Ｙで示すように溝状窪み部３ｂに挿入係止（挿脱自在）させることによって閉じられる。
【００１２】
又、絶縁キャップ本体部２の長手両側面には、連結手５０が設けられている。すなわち一方の絶縁キャップ本体部長手側面には、２個のキャップ連結用錨状フック５ａが設けられ、他方の絶縁キャップ本体部長手側面には、キャップ連結用錨状フック５ａを挿入係止するキャップ連結用溝状窪み部５ｂが設けられている。従って、互いに隣り合う絶縁キャップ本体部２のキャップ連結用錨状フック５ａが互いに隣り合うキャップ連結用溝状窪み部５ｂに挿入係止（挿脱自在）されることによって互いに隣り合う絶縁キャップの連結が行われる。このように連結手５０は、作業状況に応じて隣り合う解線端子６ａを互いに連結し結束するものである。
【００１３】
仮止め体４は、紐状又は帯状の形状のもので、絶縁キャップ本体部２と一体に形成され延出した先端部には、孔部４ｂを有するリング状の仮止め部４ａが形成されている。そして、孔部４ｂに固定ネジ１１が挿入され、その固定ネジ頭部でリング状の仮止め部４ａが押圧され仮止めされる。なお、仮止め体４は、伸縮性を有する材質のものが採用され、絶縁キャップ本体部２とは別部材又は一体の部材で構成されており、また仮止め部４ａは、リング状の別部材で構成することもできる。
【００１４】
一体型絶縁キャップ１は、絶縁キャップ本体部２、絶縁キャップ蓋体部３、及び仮止め体４などを全て同色とし、各一体型絶縁キャップ１は、互いに異色で着色され識別可能とした多色性のものである。
【００１５】
次に一体型絶縁キャップの使用要領について説明する。
（１）解線した解線端子６ａを一体型絶縁キャップ１にセットし、絶縁キャップ蓋体部３を閉じることにより挟み込む。
（２）図３のように、固定ネジ１１の頭部で仮止め部４ａを仮止めする。
（３）導電部材６を接続する時は、仮止め部４ａを固定ネジ１１から取り外し、絶縁キャップ蓋体部３をあけ一体型絶縁キャップ１から解線端子６ａを取り出し、解線端子６ａを識別色に合わせて接続する。
【００１６】
次に実施の形態１における一体型絶縁キャップの変形例について説明する。
図２の丸枠B中の（ii）において、変形例の一体型絶縁キャップの仮止め部は、柔軟性
のある部材で構成され、固定ネジ１１の頭部を挿通する孔部４ｃは、径方向に長孔状に穿設されたものであり、この長孔状の孔部４ｃの短径は、固定ネジ１１の頭部より短く、長径は、固定ネジ１１の頭部より長く設定され、固定ネジ１１の頭部に対し長孔を拡げ挿脱自在にすることによって、固定ネジ１１に対する一体型絶縁キャップ１の取付け、取外しが行われるものである。
【００１７】
なお、この発明は、その発明の範囲内において、実施の形態を適宜、変形、省略することが可能である。
【符号の説明】
【００１８】
１：一体型絶縁キャップ、  ２：絶縁キャップ本体部、  ２ａ：収納凹部、
３：絶縁キャップ蓋体部、  ３ａ：錨状フック、  ３ｂ：溝状窪み部、
４：仮止め体、  ４ａ：仮止め部、  ４ｂ、４ｃ：孔部、
５０（５ａ、５ｂ）：連結手、  ５ａ：キャップ連結用錨状フック、
５ｂ：キャップ連結用溝状窪み部、  ６：導電部材、  ６ａ：解線端子、
１０：電気機器端子台、  １１：固定ネジ
【図１】
2018166025.tif 000003
【図２】
2018166025.tif 000004
【図３】
2018166025.tif 000005